(57)【要約】【課題】ユーザの手がアンテナを覆うことによるアンテナの性能低下を防いでアンテナ性能を維持する仕組みを提供する。【解決手段】無線通信端末１０を手に持って通信を行うとき、端末の持ち方に応じて送信に使用するアンテナを、端末の筐体越しにユーザの手で覆われないアンテナに切り替える。（Ａ）に示すように端末を縦位置で上下持ちする場合は、メインアンテナを送信アンテナとして使用し、（Ｂ）に示すように横位置で左手ワの字持ちする場合は、メインアンテナを送信アンテナとして使用し、（Ｃ）に示すように横位置で両手ワの字持ちする場合は、サブアンテナを送信アンテナとして使用する。【選択図】図２
2017135503.tif 000002
【特許請求の範囲】
【請求項１】
複数のアンテナと、前記複数のアンテナの中から送信に使用するアンテナを選択可能に切り替えるスイッチと、を備えた無線通信端末であって、
前記無線通信端末の持ち方と前記送信に使用するアンテナとの対応を設定する第１の設定手段と、
前記無線通信端末の持ち方を設定する第２の設定手段と、
第１及び第２の設定手段による設定に従い、前記無線通信端末の持ち方に応じて、前記スイッチの切り替え動作を制御する制御手段と、を備えた無線通信端末。
【請求項２】
前記第１の設定手段は、前記複数のアンテナのうち、前記無線通信端末の筐体越しにユーザの手によって覆われないアンテナを前記送信に使用するアンテナとして設定する、請求項１に記載の無線通信端末。
【請求項３】
前記第２の設定手段は、通信種別ごとに前記無線通信端末の持ち方を設定する、請求項１又は２に記載の無線通信端末。
【請求項４】
前記第２の設定手段は、前記無線通信端末の代表的な持ち方を示すテンプレートを画面表示する、請求項３に記載の無線通信端末。
【請求項５】
前記無線通信端末は、端末本体と前記端末本体に着脱可能なジャケットカバーとから構成され、前記複数のアンテナは前記ジャケットカバーに備えるようにした、請求項１乃至４のいずれかに記載の無線通信端末。
【請求項６】
コンピュータを、請求項１乃至５に記載の無線通信端末として機能させることを特徴とする無線通信プログラム。
【発明の詳細な説明】
【技術分野】
【０００１】
本発明は、複数のアンテナを備える無線通信端末において、通信時に使用するアンテナを最適にする無線通信端末及び無線通信プログラムに関する。
【背景技術】
【０００２】
ユーザが無線通信端末を手に持つときの持ち方によっては、筐体内部に取り付けられているアンテナが筐体越しにユーザの手で覆われることでアンテナの性能が低下してしまうことがある。アンテナの性能低下を防ぐために、無線通信端末の筐体内部に複数のアンテナを備え、端末の把持状態を検出し、検出した把持状態に基づいて使用するアンテナを選択する技術が知られている（例えば、特許文献１）。
【０００３】
しかし、上記の特許文献１は、無線通信端末の把持状態を検出するために、無線通信端末の主面にタッチスクリーンを備える他、背面や側面には手の接触位置を検出するためのセンサーを備えている。このような無線通信端末では、タッチスクリーンや接触位置検出用センサーを取り付けるための構造上の考慮が必要になり、無線通信端末のハードウェア設計に対する自由度が小さい。
【先行技術文献】
【特許文献】
【０００４】
【特許文献１】特開２０１５−０３３０７９号公報
【発明の概要】
【発明が解決しようとする課題】
【０００５】
本発明は、ユーザが無線通信端末を手に持って通信を行う際に、タッチスクリーンや接触位置検出センサーを備えないでも、ユーザの手がアンテナを覆うことによるアンテナの性能低下を防いでアンテナ性能を維持する仕組みを実現できる無線通信端末及び無線通信プログラムを提供することを目的とする。
【課題を解決するための手段】
【０００６】
本発明の実施形態によれば、複数のアンテナと、複数のアンテナの中から送信に使用するアンテナを選択可能に切り替えるスイッチとを備えた無線通信端末であって、無線通信端末の持ち方と送信に使用するアンテナとの対応を設定する第１の設定手段と、無線通信端末の持ち方を設定する第２の設定手段と、第１及び第２の設定手段による設定に従い、無線通信端末の持ち方に応じて、スイッチの切り替え動作を制御する制御手段とを備えた無線通信端末が提供される。この構成によれば、無線通信端末の持ち方を検出するためにタッチパネル等の特別なハードウェアを必要とすることなく、ユーザごとに無線通信端末を手に持つときの持ち方に応じて送信に使用するアンテナを適切に切り替えることができる。
【０００７】
上記の第１の設定手段は、複数のアンテナのうち、無線通信端末の筐体越しにユーザの手によって覆われないアンテナを送信に使用するアンテナとして設定してよい。この構成によれば、ユーザの手がアンテナを覆うことによるアンテナの性能低下を防いで使用するアンテナの性能を維持することができる。
【０００８】
また、第２の設定手段は、通信種別ごとに無線通信端末の縦位置及び横位置のそれぞれにおける無線通信端末の持ち方を設定してよい。この構成によれば、通信種別ごとに端末の持ち方によって最適なアンテナを使用することができる。
【０００９】
上記の第２の設定手段は、無線通信端末の代表的な持ち方を画面表示するテンプレートを用いてもよい。この構成によれば、ユーザは画面表示を見ながら端末の持ち方を簡単に効率よく設定することができる。
【００１０】
上記の無線通信端末は、端末本体と端末本体に着脱可能なジャケットカバーとから構成して、複数のアンテナはジャケットカバーに備えるようにしてよい。この構成によれば、ユーザはジャケットカバーのカラーリングを楽しむことができる。また、端末本体に多数の周波数バンドに対応した高周波回路を設けて、国や地域ごとの個別の周波数バンドに対応したアンテナをジャケットカバーに設けるようにすれば、訪問地にあわせてジャケットカバーを端末本体に装着することで、グローバルに通信サービスを利用することができる。
【００１１】
また、コンピュータを、上記の無線通信端末として機能させる無線通信プログラムは、無線通信端末に予めプリインストールしてもよいし、通信事業者のサーバからダウンロードしてもよい。
【図面の簡単な説明】
【００１２】
【図１】端末の持ち方の代表例を示す説明図である。
【図２】端末の持ち方ごとの送信に使用するアンテナの例を示す説明図である。
【図３】実施形態に係る複数のサブアンテナを実装した端末における送信に使用するアンテナの例を示す説明図である。
【図４】実施形態における端末の持ち方ごとの送信に使用するアンテナの設定例を示す対応表である。
【図５】実施形態における端末の持ち方の設定フロー例を示すフローチャート図である。
【図６】実施形態における端末の持ち方の設定に用いるテンプレートの例を示す説明図である。
【図７】実施形態における端末の持ち方の設定例を示す説明図である。
【図８】実施形態における送信に使用するアンテナの切り替えフロー例を示すフローチャート図である。
【図９】実施形態における送信に使用するアンテナの切り替えの他のフロー例を示すフローチャート図である。
【図１０】実施形態における端末の内部構成例を示すブロック図である。
【図１１】実施形態における切替スイッチの動作例を示す説明である。
【図１２】実施形態における端末とジャケットカバーの構成例を示す外観図である。
【図１３】実施形態におけるグローバル端末とジャケットカバーの内部構成例を模式的に示すブロック図である。
【図１４】実施形態におけるグローバル端末とジャケットカバーの構成例を示す外観図である。
【発明を実施するための形態】
【００１３】
本願発明の実施形態は、無線通信端末に複数のアンテナを備えて、端末の代表的な持ち方ごとに、ユーザの手で覆われない方のアンテナを使用するように予め設定しておき、ユーザが無線通信端末を手に持って通信サービスを利用するときに、その無線通信端末の持ち方に応じて使用するアンテナを切り替える構成になっている。
【００１４】
［第１実施形態］
まず、本願発明の第１の実施形態について説明する。第１の実施形態は、無線通信端末の端末本体に複数のアンテナを備える構成において、その無線通信端末の持ち方に応じて使用するアンテナを切り替える構成例である。
【００１５】
無線通信端末の持ち方は、ユーザごとに異なっているものの、通信種別によって、数種類の代表的な持ち方に集約されることが知られている。図１は、スマホと呼ばれる無線通信端末を手に持つときの代表的な持ち方を示す。図１の（ア）（イ）は縦位置の上下持ちを示し、通話時における代表的な持ち方の例である。図１の（カ）（キ）（ク）（ケ）はストリーミングを視聴するときなど横位置で使用するときの代表的な持ち方の例である。（カ）は横位置の左手ワの字持ち、（キ）は横位置の両手ワの字持ち、（ク）は横位置の両手押え持ち、（ケ）は横位置の両手手置き持ちをそれぞれ示している。
【００１６】
次に、図２を用いて無線通信端末の持ち方と使用するアンテナについて説明する。図２の（Ａ）に示すように、ユーザが無線通信端末１０本体を縦位置に持って通信を行うときは、端末本体の筐体越しにユーザの手で覆われていないメインアンテナ１１を使用して高周波信号を送受信し、ユーザの手で覆われているサブアンテナ１２は受信アンテナとして使用するが送信アンテナとしては使用しない。（Ｂ）に示すように、ユーザが無線通信端末１０本体を横位置に左手ワの字持ちにして通信を行うときは、筐体越しにユーザの手で覆われていないメインアンテナ１１を使用して高周波信号を送受信し、ユーザの手で覆われているサブアンテナ１２は受信アンテナとして使用するが送信アンテナとしては使用しない。（Ｃ）に示すように、ユーザが無線通信端末１０本体を横位置に両手押え持ちにして通信を行うときは、筐体越しにユーザの手で覆われていないサブアンテナ１２を使用して高周波信号を送受信し、ユーザの手で覆われているメインアンテナ１１は受信アンテナとして使用するが送信アンテナとしては使用しない。
【００１７】
図３は、複数のサブアンテナを実装した端末の持ち方と使用するアンテナを示す。複数のサブアンテナを実装した端末では、無線通信端末１０本体にメインアンテナ１１の他に、サブアンテナ１２１、１２２、１２３を備える。複数のサブアンテナを実装した端末を横位置に左手上下持ちにして通信を行うときは、筐体越しにユーザの手で覆われていないメインアンテナ１１とサブアンテナ１２２を使用して高周波信号を送受信し、ユーザの手で覆われているサブアンテナ１２１とサブアンテナ１２３は受信アンテナとしては使用するが送信アンテナとしては使用しない。このような複数のサブアンテナを実装した端末では、送信に使用するアンテナの選択性が増すことになる。
【００１８】
（端末の持ち方ごとの使用アンテナ設定）
次に、図４を用いて、無線通信端末の持ち方ごとの送信に使用するアンテナの設定例について説明する。本実施の形態では、端末本体に複数のアンテナ、例えば、メインアンテナとサブアンテナを備えて、端末の持ち方によって、端末本体の筐体越しにユーザの手で覆われない方のアンテナを送信に使用するアンテナとして予め設定しておく。図４（Ａ）の設定表１５３は、端末機種X001における端末の持ち方と送信に使用するアンテナの対応づけを示す。図４（Ｂ）の設定表１５３は、複数のサブアンテナを実装した端末である端末機種X002における端末の持ち方と送信に使用するアンテナの対応づけを示す。これらの設定表１５３は、端末の機種ごとに作成される。なお、後述する第２の実施形態では、端末用のジャケットケースにアンテナを備える場合には、端末機種と同じ設定表１５３を用いてもよい。また、この設定表１５３は、端末本体にプリインストールしてもよいし、通信事業者のサーバからダウンロードして端末本体に格納してもよい。
【００１９】
無線通信端末はアプリケーションを備え、アプリケーションがこの設定表１５３に基づいて端末の持ち方ごとに送信に使用するアンテナを選択するように、後述する切替スイッチの動作を制御する。例えば、図４（Ａ）の端末では、端末の持ち方が（ア）縦位置左手持ちのときは、端末の筐体越しにユーザの手で覆われないメインアンテナが送信に使用するアンテナとして選択される。図４（Ｂ）の複数のサブアンテナを実装した端末では、端末の持ち方が（キ）横位置両手ワの字持ちのときは、端末の筐体越しにユーザの手で覆われないサブアンテナ１２１とサブアンテナ１２３が、それぞれ送信に使用するアンテナとして選択される。
【００２０】
（端末の持ち方の設定）
次に図５を用いて、端末の持ち方の設定について説明する。図５は、端末の持ち方を設定する手順を示すフローチャートである。端末の持ち方の設定は、アプリケーションが端末のディスプレイに代表的な端末の持ち方を表示して、ユーザが通信種別ごとに普段の持ち方を選択的に設定するように構成されている。
【００２１】
図５において、まず、ユーザがメニュー画面からアプリケーションを起動すると（Ｓ１０１）、アプリケーションは、端末の持ち方の設定に用いるサブメニューを画面表示して、さらにディスプレイに端末の代表的な持ち方を表示する（Ｓ１０２）。この代表的な持ち方として、例えば、図１の（ア）〜（ケ）に示した持ち方をそれぞれイラスト画像にして表示してよい。ユーザはディスプレイに表示された代表的な持ち方を見て、音声通話時の持ち方を選択し設定する（Ｓ１０３）。ユーザは続いて、メール通信時の持ち方を選択し設定する（Ｓ１０４）。以下順に、ユーザはＷｅｂ通信時、ストリーミング通信時、ゲーム通信時と、それぞれの通信種別ごとに端末の持ち方を選択し設定する（Ｓ１０５〜Ｓ１０７）。ユーザが通信種別ごとに端末の持ち方の設定を行い、その設定が終了するとアプリケーションは設定動作を停止する（Ｓ１０８）。
【００２２】
（テンプレートを用いた設定）
ここで、端末の持ち方の設定は、アプリケーションがその機能の一つとして備えるテンプレートを用いて設定してもよい。テンプレートは、代表的な端末の持ち方のイラスト画像や説明文を雛形データとして予め作成しておき、アプリケーションによってディスプレイに表示され、ユーザが端末の持ち方を設定する作業をサポートする。
【００２３】
図６と図７を用いて、テンプレートを利用して端末の持ち方を設定する手順について説明する。図６（Ａ）は端末のメニュー画面の一例である。ユーザが、メニュー画面に表示されている「アンテナ切替」のアイコンを選択しクリックすると、図６（Ｂ）に示す画面に遷移する。図６（Ｂ）は、「アンテナ切替」の説明文と、テンプレートの使用を促す説明文の表示例である。ユーザが画面に表示された「テンプレート」をクリックすると、図７（Ａ）に示す画面に遷移する。
【００２４】
図７（Ａ）は、端末の持ち方を設定するテンプレート１５２の画面表示例である。テンプレート１５２は、通信種別ごとの端末の持ち方を、ユーザが設定する作業をサポートする。テンプレート１５２には、通信種別の各項目と端末の代表的な持ち方のイラスト画像や説明文が保持されており、ユーザによるプルダウンボックス１６０の上下操作によって、それぞれの持ち方のイラスト画像と説明文を画面表示する。ユーザは通信種別ごとに、テンプレート１５２が保持している代表的な持ち方の中から普段の持ち方に合ったものを選択し設定する。例えば、「通話」時の端末の持ち方として「縦位置左手持ち」を設定する。以下同様に、図５に示した設定フローに従うように「メール」「Ｗｅｂ」「ストリーミング」「ゲーム」等の通信種別ごとに、テンプレート１５２が保持している代表的な端末の持ち方の中から普段の持ち方を選択的に設定できるようになっている。このようにして設定される通信種別ごとの端末の持ち方は、例えば、図７（Ｂ）に示す設定表１５４として作成される。
【００２５】
なお、テンプレート１５２には、図示していないが、ポインティングデバイスや「進む」「戻る」「決定（クリック）」「実行（ダブルクリック）」等の操作コマンドを含めてディスプレイ１６に画面表示するようにしてもよい。この場合は、テンプレート１５２の雛形データとして、「進む」「戻る」「決定（クリック）」「実行（ダブルクリック）」等の操作を表す操作データと、それぞれの操作項目を表す画像データが含まれる。
【００２６】
（アンテナの切り替え動作）
次に、図８を用いて、端末のアンテナの切り替えについて説明する。図８において、ユーザが端末を操作して通信を開始する（Ｓ２０１）と、アプリケーション１５１は動作している通信ベアラから通信種別を特定する（Ｓ２０２）。アプリケーション１５１は通信種別を特定すると、図７（Ｂ）に示した設定表１５４に基づいて、そのユーザの無線通信端末１０本体の持ち方を特定する（Ｓ２０３）。アプリケーション１５１は端末１０本体の持ち方を特定すると、図４（Ａ）（Ｂ）に示した設定表１５３、この場合は自己の機種に適合した設定表１５３に基づいて送信に使用するアンテナを決定して、後述する切替スイッチを制御して送信に使用するアンテナを選択的に切り替える（Ｓ２０４）。この後ユーザが通信を終了すると、アプリケーション１５１は送信に使用するアンテナをデフォルトのアンテナにする（Ｓ２０５）。デフォルトのアンテナは、メインアンテナにしてもよい。
【００２７】
端末のアンテナの切り替えは、端末の実際の向き（縦位置、横位置）を確認してから実行するようにしてもよい。また、通信中にユーザが端末の向きを変更した場合に、あらためて送信に使用するアンテナを決定し切り替えるようにしてもよい。次に、端末の実際の向きを考慮する例について説明する。
【００２８】
図９において、ユーザが無線通信端末１０本体を操作して通信を開始する（Ｓ３０１）と、アプリケーション１５１は、無線通信端末１０本体に備えられている姿勢センサーや加速度センサーの測定値から無線通信端末１０本体が縦位置か横位置かを判断する（Ｓ３０２）。次にアプリケーション１５１は、動作している通信ベアラから通信種別を特定して（Ｓ３０３）、図７（Ｂ）に示した設定表１５４を参照して、端末の向きが予め設定した端末の持ち方の向きと矛盾がないか確認する（Ｓ３０４）。アプリケーション１５１は、実際の端末の向きが設定表１５４と矛盾がなければ、図４（Ａ）（Ｂ）に示した設定表１５３に基づいて送信に使用するアンテナを決定して、後述する切替スイッチを制御して送信に使用するアンテナを選択的に切り替える（Ｓ３０５）。なお、実際の端末の向きが設定表１５４と矛盾している場合には、デフォルトのアンテナを使用して、通信終了後に無線通信端末１０本体の持ち方が予め設定した持ち方と異なっていたことの注意文を画面表示してもよい。
【００２９】
アプリケーション１５１は、姿勢センサーや加速度センサーによって通信中に端末の向きが変化したことを検出したときは（Ｓ３０９）、ステップＳ３０２に戻って、端末１０本体の向き（縦位置、横位置）を再度判断した後、通信種別を再度特定し（Ｓ３０６）、端末の持ち方を再度確認して（Ｓ３０７）、送信に使用するアンテナを適宜選択的に切り替える（Ｓ３０８）。この後ユーザが通信を終了すると、アプリケーション１５１は送信に使用するアンテナをデフォルトのアンテナにする（Ｓ３１０）。デフォルトのアンテナは、メインアンテナにしてもよい。
【００３０】
（端末の内部構成）
次に、図１０を用いて無線通信端末１０の内部構成について説明する。図１０において、１１はメインアンテナ、１２はサブアンテナ、１３は切替スイッチ、１４はＲＦ部、１５は制御部、１６はディスプレイ、１７は入出力操作部、１８はセンサー、１９は電源部を示す。
【００３１】
メインアンテナ１１とサブアンテナ１２は、ともに無線通信端末１０の高周波回路の一部であり切替スイッチ１３を介してＲＦ部１４に接続されている。メインアンテナ１１とサブアンテナ１２は同じアンテナ性能を持ち、それぞれ第１アンテナ、第２アンテナと称してもよい。メインアンテナ１１とサブアンテナ１２は、図２（Ａ）に示したように、無線通信端末１０の正面下部にメインアンテナを、正面右上部にサブアンテナを配置してよい。
【００３２】
切替スイッチ１３は、メインアンテナ１１を用いて送信する場合とサブアンテナ１２を用いて送信する場合のそれぞれにおいて、各アンテナとＲＦ部１４の送信部・受信部の接続を切り替える。図１１（Ａ）に示すように、メインアンテナ１１を用いて送信する場合は、メインアンテナ１１はＲＦ部１４の送信部と受信部に接続され、サブアンテナ１２はＲＦ部１４の受信部に接続される。また、図１１（Ｂ）に示すように、サブアンテナ１２を用いて送信する場合は、サブアンテナ１２はＲＦ部１４の送信部と受信部に接続され、メインアンテナ１１はＲＦ部１４の受信部に接続される。
【００３３】
ＲＦ部１４は、無線通信端末１０の高周波回路の一部であり、帯域通過フィルタや増幅器から構成されている。メインアンテナ１１とサブアンテナ１２は、ＲＦ部１４を共用してよい。ＲＦ部１４は送信部と受信部を備えている。
【００３４】
制御部１５は、無線通信端末１０の動作全体を制御し管理する。ＣＰＵやメモリ等のハードウェアと各種のソフトウェアから構成されている。制御部１５は、一般のＯＳやファームウェア、ソフトウェア、アプリケーションプログラムなどの所定のコンピュータ言語で記載されたプログラムを実行するモジュールであり、通常はＣＰＵ等により実現される。なお、本実施形態では、この制御部１５で、本発明の無線通信プログラムを実行することによって、汎用的な無線通信端末を、本発明に係る無線通信端末として機能させることができ、必要な機能モジュールが制御部１５のＣＰＵ上に仮想的に構築される。具体的には、制御部１５は、アプリケーション１５１、テンプレート１５２、設定表１５３、設定表１５３を備える。
【００３５】
アプリケーション１５１は、無線通信端末１０の持ち方と使用するアンテナとを対応づける。この対応づけは、図４（Ａ）（Ｂ）の設定表１５３のように設定してよい。また、アプリケーション１５１は、テンプレート１５２を用いて、通信種別ごとに無線通信端末１０の持ち方を対応づける。この対応づけは、図７（Ｂ）の設定表１５４のように設定してよい。
【００３６】
テンプレート１５２は、アプリケーション１５１が通信種別ごとに無線通信端末１０の持ち方を対応づけるときのユーザ支援機能である。図６及び図７（Ａ）に示すように、ディスプレイ１６に無線通信端末１０の代表的な持ち方のイラスト画像と説明文を表示させて、ユーザが無線通信端末１０の持ち方の設定を容易に行えるようにする。なお、このテンプレート１５２は、予め複数種類用意しておき、通信種別や無線通信端末１０の機種に応じて自動的に、若しくはユーザ操作に応じて選択されて画面表示するようにしてもよい。
【００３７】
設定表１５３は、無線通信端末１０の持ち方と送信に使用するアンテナとを対応づけたものであり、無線通信端末１０の機種ごとに作成される。この設定表１５３は、無線通信端末１０の筐体越しにユーザの手で覆われない方のアンテナを送信に使用するように予め通信事業者が設定してもよい。設定表１５３は、携帯通信事業者のサイトにダウンロード可能に配置して、無線通信端末１０にダウンロードしてもよい。
【００３８】
設定表１５４は、無線通信端末１０の通信種別ごとに無線通信端末１０の持ち方を設定したものである。設定表１５４は、アプリケーション１５１によってテンプレート１５２を用いて無線通信端末１０の通信種別ごとに無線通信端末１０の持ち方を設定してもよい。
【００３９】
ディスプレイ１６は、無線通信端末１０のメニュー画面やテンプレートの画面表示を行う。
入出力操作部１７は、ユーザが通信の開始や終了の操作を行う他、テンプレート１５２を用いて無線通信端末１０の持ち方を設定する際の操作を行う。
センサー部１８は、姿勢センサーや加速度センサーを備えており、無線通信端末１０１０の向き（縦位置、横位置）を検出する。
電源部１９は、無線通信端末１０の各部に電気を供給するバッテリである。
【００４０】
［第２実施形態］
次に、本願発明の第２の実施形態について説明する。第２の実施形態は、無線通信端末の端末本体にアンテナを取り付けないで、ジャケットカバーにアンテナを取り付ける構成である。
【００４１】
図１２に示すように、第２の実施形態の無線通信端末１００は、端末本体２０とジャケットカバー３０とから構成される。ジャケットカバー３０は、端末本体２０に着脱可能に装着されるカバーである。端末本体２０は、第１の実施例における無線通信端末１０とほぼ同様の構成であるが、メインアンテナ１１とサブアンテナ１２が取り付けられていない点が異なる。ジャケットカバー３０には、そのメインアンテナ１１とサブアンテナ１２が取り付けられている。端末本体２０とジャケットカバー３０との間は、コネクタ等が嵌合することによって電気的インタフェースが接続され、メインアンテナ１１とサブアンテナ１２によって高周波信号が送受信されるようになっている。
【００４２】
図１３は、無線通信端末１００の概略構成を示し端末本体２０とジャケットカバー３０のそれぞれの内部構成を示す。端末本体２０の各部の構成と、ジャケットカバー３０の各部の構成は、第１の実施形態における各部の構成とそれぞれ同一の機能を備えており、詳細説明は省略する。
【００４３】
ジャケットカバー３０におけるメインアンテナ１１とサブアンテナ１２の切り替えは、第１の実施形態にけるアンテナの切り替え動作と同一の動作であり、詳細は省略する。なお、本実施形態においては、テンプレート１５２は、予め複数種類用意しておき、通信種別や無線通信端末１０の機種、ジャケットカバー３０の種類を検出するようにして、その検出結果に応じて自動的に、若しくはユーザ操作に応じて選択されて画面表示するようにしてもよい。
【００４４】
無線通信端末１００は、海外の周波数バンドにも対応するグローバル無線通信端末として構成してもよい。端末本体２０に多数の周波数バンドに対応したＲＦ部１４を複数備え、さらにそれらのＲＦ部１４に適合したアンテナを取り付けてもよいが、そうすると端末本体２０の回路規模が大きくなるうえ、アンテナの本数が増えることで手でアンテナが覆われやすくなりアンテナの性能劣化を招く原因となる。このような場合には、個別の周波数バンドに対応したアンテナをジャケットカバー３０に取り付けることで、グローバル対応の無線通信端末の製作を容易にすることができる。
【００４５】
図１４は、グローバル無線通信端末２００の概略構成を示す。端末本体２１は、各国や地域で使用されている周波数バンドにそれぞれ適合したＲＦ部を備えている。ジャケットカバー３１は、特定の国や地域において使用されている個別の周波数バンドに対応したアンテナを備える。このようなジャケットカバー３１を国や地域ごとに用意して、ユーザが使用地に合わせてジャケットカバー３１を取り換えながら端末本体２１に装着することで、一台の端末本体２１をグローバルに使用して通信サービスを利用することができる。
【００４６】
以上、本発明を実施の形態を用いて説明したが、特許請求の範囲、明細書及び図面中において示した無線通信端末の動作フロー及び各処理の実行順序は、特段「より前に」、「先立って」等と明示しておらず、また、前の処理の出力を後の処理で用いるのでない限り、任意の順序で実現しうる。また、特許請求の範囲、明細書、及び図面中の動作フローに関して、便宜上「まず、」、「次に、」等を用いて説明したとしても、この順で実施することが必須であることを意味するものではない。
【符号の説明】
【００４７】
１０    無線通信端末（第１の実施形態）
１１    メインアンテナ
１２(１２１，１２２，１２３)    サブアンテナ
１３    切替スイッチ
１４    ＲＦ部
１５    制御部
１５１  アプリケーション
１５２  テンプレート
１５３  設定表
１５４  設定表
１００  無線通信端末（第２の実施形態）
２０    端末本体
３０    ジャケットカバー
２００  グローバル無線通信端末
【図１】
2017135503.tif 000003
【図２】
2017135503.tif 000004
【図３】
2017135503.tif 000005
【図４】
2017135503.tif 000006
【図５】
2017135503.tif 000007
【図６】
2017135503.tif 000008
【図７】
2017135503.tif 000009
【図８】
2017135503.tif 000010
【図９】
2017135503.tif 000011
【図１０】
2017135503.tif 000012
【図１１】
2017135503.tif 000013
【図１２】
2017135503.tif 000014
【図１３】
2017135503.tif 000015
【図１４】
2017135503.tif 000016